(57)【要約】【課題】カメラ機器に取り付けた状態で使用され、簡単な構成を有し、かつ被写体をより美しく撮影することを可能とするカメラ機器用光学アダプタを提供する。【解決手段】本発明のカメラ機器用光学アダプタ（１０００）は、カメラ機器の本体に取り付けられるアダプタ本体（１０）と、前記アダプタ本体の１つの面に設けられ、被写体からの光を取り込むための第１のウィンドウ部（３０）と、前記アダプタ本体の内部に配置され、前記第１のウィンドウ部からの光をその入射方向に対して略９０°の角度に反射する第１の反射手段（６０）と、前記アダプタ本体の内部に配置され、前記第１の反射手段からの光をその入射方向に対して略９０°の角度に反射する第２の反射手段（７０）と、前記アダプタ本体の前記１つの面と対向する面に、前記第１のウィンドウ部と略並行に設けられ、前記第２の反射手段からの光をカメラ機器に導入するための第２のウィンドウ部（４０）と、を備える。【選択図】図１
2010002647.tif 000002
【特許請求の範囲】
【請求項１】
カメラ機器の本体に取り付けられるアダプタ本体と、
前記アダプタ本体の１つの面に設けられ、被写体からの光を取り込むための第１のウィンドウ部と、
前記アダプタ本体の内部に配置され、前記第１のウィンドウ部からの光をその入射方向に対して略９０°の角度に反射する第１の反射手段と、
前記アダプタ本体の内部に配置され、前記第１の反射手段からの光をその入射方向に対して略９０°の角度に反射する第２の反射手段と、
前記アダプタ本体の前記１つの面と対向する面に前記第１のウィンドウ部と略並行に設けられ、前記第２の反射手段からの光をカメラ機器に導入するための第２のウィンドウ部と、
を備えるカメラ機器用光学アダプタ。
【請求項２】
前記アダプタ本体は、該アダプタ本体をカメラ機器の本体に取り付けるために、弾性材で形成された取り付け手段を有することを特徴とする請求項１に記載のカメラ機器用光学アダプタ。
【発明の詳細な説明】
【技術分野】
【０００１】
本発明は、カメラ機器に取り付ける光学アダプタに関し、より詳細には、被写体をより美しく撮影するためにカメラ機器に取り付ける光学アダプタに関する。
【背景技術】
【０００２】
現行のカメラ市場では、小型デジタルカメラやレンズ付きフィルム（使い捨てカメラ）など、軽量で低価格のカメラが多数販売されている。さらに、現行の携帯電話のほとんどがデジタルカメラ機能を搭載している。
【０００３】
また、主に若者たちを中心に、このようなカメラを用いて自身の顔を撮影し、その写真を電子メールに添付して送ることが流行している。
【０００４】
上述の小型カメラは何れも簡単な構成を採用しているため、携帯性や操作性は優れているがその性能は限定されている。したがって、この限られた機能を拡張するために様々なアクセサリが考案されている。例えば、特許文献１および２は、携帯電話のカメラの光学系を補正するレンズアダプタを開示している。さらに、特許文献３は、カメラ付き携帯電話を固定する三脚セットを開示している。
【特許文献１】特開２００４−１９９０１４
【特許文献２】特開２００７−１５９０５０
【特許文献３】特開２００５−６２３６７
【発明の開示】
【発明が解決しようとする課題】
【０００５】
上述の拡張アクセサリは、被写体をいかに美しく撮影するかについては考慮していない。しかし、ユーザが自身の顔を撮影してそれを他人に送付する場合には、写った顔の美しさが非常に気になるものである。
【０００６】
被写体を美しく撮影するためには、複数の光学部材から構成される光学アダプタ等のアクセサリを小型カメラに取り付ける方法がある。しかし、これではカメラの本体が大型化してしまい、本来の携帯性やコンパクト性が損なわれてしまう。また、アクセサリも複雑な構成を有するため高額となってしまい、ユーザに経済的な負担を負わせてしまう。
【０００７】
一方、発明者等が鋭意研究した結果、カメラで人物を撮影する場合、その像を直接撮影するよりも、ミラーに映った像を撮影する方がより美しく写すことができる事実を発見した。しかし、鏡を介して撮影するためには、被写体の人物が映る程度の大きさの鏡を用意し、人物と鏡とカメラの正確な位置合わせを行う必要がある。それは非常に煩わしい作業である。また、鏡を介して撮影すると、写った人物は実物と異なり左右反転した状態になってしまう。この左右反転を避けるためには、２枚の鏡を設置する必要があり、さらに位置合わせが煩わしくなる。
【０００８】
本発明は、上記のような問題点を考慮して創案されたものであり、本発明の課題は、被写体をより美しく撮影することを可能とするカメラ機器用光学アダプタを提供することである。さらに、本発明の別の課題は、複数のミラーなどの反射手段から構成され、簡単にカメラとの位置合わせが可能なカメラ機器用光学アダプタを提供することである。
【課題を解決するための手段】
【０００９】
上記課題を解決するために、本発明の請求項１の発明は、
１）カメラ機器の本体に取り付けられるアダプタ本体と、
２）前記アダプタ本体の１つの面に設けられ、被写体からの光を取り込むための第１のウィンドウ部と、
３）前記アダプタ本体の内部に配置され、前記第１のウィンドウ部からの光をその入射方向に対して略９０°の角度に反射する第１の反射手段と、
４）前記アダプタ本体の内部に配置され、前記第１の反射手段からの光をその入射方向に対して略９０°の角度に反射する第２の反射手段と、
５）前記アダプタ本体の前記１つの面と対向する面に、前記第１のウィンドウ部と略並行に設けられ、前記第２の反射手段からの光をカメラ機器に導入するための第２のウィンドウ部と、
を備えるカメラ機器用光学アダプタである。
【００１０】
請求項１に記載のカメラ機器用光学アダプタは、内部にミラーなどの反射手段を内蔵する。このアダプタをカメラ機器に取り付けて写真撮影を行えば、反射手段に映った被写体をカメラが撮影することになる。そのため、この被写体はアダプタを用いない場合よりも美しく撮影される。また、当該カメラ機器用光学アダプタは２つの反射手段を内蔵しただけの簡単な構成のため、小型化および軽量化が可能となる。そのため、カメラ機器の携帯性やコンパクト性を損なわずに好適に使用することができる。
【００１１】
上記課題を解決するために、本発明の請求項２の発明は、請求項１に記載のカメラ機器用光学アダプタにおいて、前記アダプタ本体は、該アダプタ本体をカメラ機器の本体に取り付けるために弾性材で形成された取り付け手段を有することを特徴とする。
【００１２】
請求項２に記載のカメラ機器用光学アダプタは、取り付け手段によってカメラ機器に取り付けられ、固定される。また、この取り付け手段は、自身の弾性を用いてカメラ機器の本体を挟み込んで当該光学アダプタをカメラに固定させる構造となっているため、ネジなどの付属部品を必要としない。したがって、当該光学アダプタをカメラ機器に取り付けるだけで、その光学系が位置決めされる。
【発明の効果】
【００１３】
本発明のカメラ機器用光学アダプタを任意のカメラ機器に取り付ければ、複雑で高価なアクセサリを使用せず、かつ煩わしい作業を伴わずに被写体をより美しく撮影することが可能となる。
【発明を実施するための最良の形態】
【００１４】
添付図面を参照して、以下に本発明の好適な一実施形態に係るカメラ機器用光学アダプタについて説明する。
なお、本実施形態の光学アダプタが適用される「カメラ機器」は、主に、カメラ付き携帯電話、小型デジタルカメラ、レンズ付きフィルム（使い捨てカメラ）などの単純な構成のカメラ機能を有する機器を意味する。しかし、本発明の適用先はそれらに限定されるものではなく、本発明の光学アダプタは如何なる種類のカメラ機器に適用されてよいことに留意されたい。
【００１５】
図１は、本発明の一実施形態に係る光学アダプタ１０００の外形図であり、（ａ）はその正面図、（ｂ）は背面図、（ｃ）は上面図である。なお、本実施形態において、「正面」は被写体と対向する側であり、「背面」はカメラ機器と対向する側とする。
図１（ａ）〜（ｃ）を参照して説明すると、光学アダプタ１０００の外部構造は、主にアダプタ本体１０と、そのアダプタ本体１０の両側面からそれぞれコの字に伸長する取り付け部２０と、アダプタ本体１０の前面に形成された第１のウィンドウ部３０と、アダプタ本体１０の背面に形成された第２のウィンドウ部４０と、を備える。
【００１６】
アダプタ本体１０は、例えば立方体形状を有し、内部に光学部品と光路とを含む光学系が形成されている。このアダプタ本体１０は、内部の光学系に影響を与えないために遮光性の材料で作成される必要がある。しかし、遮光性を有している限り、その材料については特に限定はしない。例えば、樹脂、金属、木など種々の材料を用いてよい。
【００１７】
取り付け部２０は、光学アダプタ１０００のアダプタ本体１０をカメラ機器の本体に固定するための部材であり、合成樹脂やばねなどの弾性体で作成されることが好ましい。
【００１８】
図１（ａ）に示すように、第１のウィンドウ部３０は、アダプタ本体１０の正面に形成され、被写体からの光を光学アダプタ１０００の内部に入射させるための部材であり、樹脂、ガラスなどの光透過性の材料で形成される。また、第１のウィンドウ部３０はアダプタ本体１０の中心から横側に変位して設けられている。図では左側に変位しているが、右側に変位してもよい。
【００１９】
図１（ｂ）に示すように、第２のウィンドウ部４０は、アダプタ本体１０の背面に形成され、光学アダプタ１０００の内部の光学系から出射した光をカメラ機器の光学系に入射するための部材であり、第１のウィンドウ部３０と同様に樹脂、ガラスなどの光透過性材料で形成される。さらに、第２のウィンドウ部４０は、アダプタ本体１０の中心を基準として第１のウィンドウ部３０と反対の方向に変位して設けられる。
【００２０】
図２は、図１（ａ）に示した光学アダプタ１０００のＡ−Ａ断面図である。この断面図を参照して光学アダプタ１０００の内部構造（光学系）について説明する。図示のように、アダプタ本体１０の内部に内部空間５０が画定されている。そしてこの内部空間５０の所定の位置に第１のミラー６０と第２のミラー７０とが配置されている。この図において、第１のミラー６０の反射面は下側に、そして第２のミラー７０の反射面は上側に形成されている。これらのミラーの反射面は相互に平行で、かつ第１のウィンドウ部３０および第２のウィンドウ部４０と４５°の角度をなすように配置されている。
【００２１】
次に、図３を参照して、光学アダプタ１０００の設置方法について説明する。まず、図３（ａ）に示すように、光学アダプタ１０００をカメラ機器２０００に取り付ける。上述のように光学アダプタ１０００の取り付け部２０は弾性を有しているため、該取り付け部２０がカメラ機器２０００の本体を挟み込み、これにより光学アダプタ１０００が固定される。固定された状態で光学アダプタ１０００の第２のウィンドウ部４０の位置と、カメラ機器２０００のシャッター部２０１０のレンズ２０２０の位置とが一致するように構成されている（図３（ｂ）参照）。
【００２２】
図４は、図２と同様に図１（ａ）に示した光学アダプタ１０００のＡ−Ａ断面図である。ただし、この図の光学アダプタ１０００はカメラ機器２０００に取り付けられている。この図面を参照して、光学アダプタ１０００の機能について説明する。
光学アダプタ１０００をカメラ機器２０００に取り付けると、カメラ機器２０００で撮像するための被写体３０００からの光は、まず、第１のウィンドウ部３０を通じて光学アダプタ１０００の内部空間５０に入射する。
【００２３】
光学アダプタ１０００の内部空間５０に入射した光は、該内部空間５０内を進行し、第１のミラー６０の反射面で反射する。第１のミラー６０の反射面は入射した光の進行方向に対して略４５°の角度をなしているため、当該第１のミラー６０で反射した光は約９０度曲折する。次いで、第２のレンズ７０の反射面で反射する。ここでも、第２のミラー７０の反射面は入射した光の進行方向に対して略４５°の角度をなしているため、反射した光は約９０度曲折する。最後に光は第２のウィンドウ部４０およびカメラ機器２０００のレンズ部２０２０を透過して、カメラ機器２０００の光学系に入射する。その結果、被写体３０００が撮影される。
【００２４】
段落０００７に記載のように、カメラで被写体を撮影する場合には、その被写体を直接撮影するよりもミラーを介して撮影した方がより美しく撮影することができる。よって、２枚のミラーを内蔵した光学アダプタ１０００をカメラに取り付けて撮像を行えば、被写体をより美しく写すことができる。
【００２５】
また、本発明の一実施形態に係る光学アダプタ１０００では、被写体からの光を第１のミラー６０および第２のミラー７０で反射させる構成を採用しているが、本発明の反射体はミラーに限定されるものではない。２枚のミラーの代わりに２つの直角プリズムを用いてもよい。
【００２６】
さらに、本発明の一実施形態に係る光学アダプタ１０００では、アダプタ本体１０をカメラ機器２０００に固定するために弾性体からなる取り付け部２０を用いる構成としているが、本発明はこの構成に限定されるものではない。代替的に取り付け部２０は非弾性体で、ネジによってカメラ機器本体に固定されてもよい。
【００２７】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【図面の簡単な説明】
【００２８】
【図１】本発明の１実施形態に係るカメラ機器用光学アダプタの外部構造を示す図であり、（ａ）は正面図、（ｂ）は背面図、（ｃ）は上面図である。
【図２】図１（ａ）に示すカメラ機器用光学アダプタのＡ−Ａ断面図である。
【図３】本発明の１実施形態に係るカメラ機器用光学アダプタの取り付け方法を説明するための図であり、（ａ）は光学アダプタを取り付ける前の状態を示す図であり、（ｂ）は光学アダプタをカメラ機器に取り付けた状態を示す図である。
【図４】カメラ機器と取り付けた状態での図１（ａ）に示すカメラ機器用光学アダプタのＡ−Ａ断面図である。
【符号の説明】
【００２９】
１０    アダプタ本体
２０    取り付け部
３０    第１のウィンドウ部
４０    第２のウィンドウ部
５０    内部空間
６０    第１のミラー
７０    第２のミラー
１０００  光学アダプタ
【図１】
2010002647.tif 000003
【図２】
2010002647.tif 000004
【図３】
2010002647.tif 000005
【図４】
2010002647.tif 000006